(57)【要約】【課題】上吊り式引戸を、壁面のない箇所でもまた単一の引戸であっても、振れを防止しつつ開閉位置に固定することができる戸当り及び戸当りを備えた上吊り式引戸装置を提供する。【解決手段】振止用案内溝を下端に有しておりこの振止用案内溝の一端が木口面に開口している上吊り式引戸のための戸当りは、この戸当りを床面に固着するためのベース部材と、ベース部材を覆うようにベース部材に嵌着されたカバー部材とを備えている。カバー部材が、上吊り式引戸の木口面が当接するための平面状の当接面と、この当接面から突出するようにカバー部材の底部から頂部方向に向かって一体的に形成された凸条部とを備えている。この凸条部は当接面から離れるにつれて狭幅となるように傾斜した側面を備えた台形断面形状を有しており、凸条部が上吊り式引戸の振止用案内溝の開口部内に侵入した際に傾斜した側面が振止用案内溝の内壁に当接して嵌合するように構成されている。【選択図】図２
2011099308.tif 000002
【特許請求の範囲】
【請求項１】
振止用案内溝を下端に有しており該振止用案内溝の一端が木口面に開口している上吊り式引戸のための戸当りであって、当該戸当りを床面に固着するためのベース部材と、該ベース部材を覆うように該ベース部材に嵌着されたカバー部材とを備えており、
該カバー部材が、前記上吊り式引戸の前記木口面が当接するための平面状の当接面と、該当接面から突出するように当該カバー部材の底部から頂部方向に向かって一体的に形成された凸条部とを備えており、該凸条部は前記当接面から離れるにつれて狭幅となるように傾斜した側面を備えた台形断面形状を有しており、該凸条部が前記上吊り式引戸の前記振止用案内溝の開口部内に侵入した際に前記傾斜した側面が前記振止用案内溝の内壁に当接して嵌合するように構成されていることを特徴とする上吊り式引戸のための戸当り。
【請求項２】
前記凸条部の突出先端が前記振止用案内溝の前記開口部の幅より小さい幅を有しており、該凸条部の前記当接面側の突出基部が該開口部の幅にほぼ等しい幅を有していることを特徴とする請求項１に記載の戸当り。
【請求項３】
前記カバー部材が底面に開口した非貫通穴を有しており、前記ベース部材が該非貫通穴に嵌合して該カバー部材に固着されていることを特徴とする請求項１又は２に記載の戸当り。
【請求項４】
前記カバー部材の前記凸条部の頂端が前記当接面の頂端より下方に位置していることを特徴とする請求項１から３のいずれか１項に記載の戸当り。
【請求項５】
前記カバー部材の前記当接面と反対側の面が半楕円球形状を有していることを特徴とする請求項１から４のいずれか１項に記載の戸当り。
【請求項６】
前記カバー部材が衝撃吸収性材料で形成されていることを特徴とする請求項１から５のいずれか１項に記載の戸当り。
【請求項７】
前記カバー部材の前記衝撃吸収性材料の硬度が１５〜９０であることを特徴とする請求項６に記載の戸当り。
【請求項８】
前記当接面の幅に対する前記凸条部における前記当接面側の突出基部の幅の比が、１／６〜１の範囲にあることを特徴とする請求項１から７のいずれか１項に記載の戸当り。
【請求項９】
前記凸条部の、前記頂部側の端部が面取りされていることを特徴とする請求項１から８のいずれか１項に記載の戸当り。
【請求項１０】
振止用案内溝を下端に有しており該振止用案内溝の一端が木口面に開口している上吊り式引戸と、該上吊り式引戸用の戸当りとを備えており、
前記戸当りが、床面に固着するためのベース部材と、該ベース部材を覆うように該ベース部材に嵌着されたカバー部材とを備えており、
該カバー部材が、前記上吊り式引戸の前記木口面が当接するための平面状の当接面と、該当接面から突出するように当該カバー部材の底部から頂部方向に向かって一体的に形成された凸条部とを備えており、該凸条部は前記当接面から離れるにつれて狭幅となるように傾斜した側面を備えた台形断面形状を有しており、該凸条部が前記上吊り式引戸の前記振止用案内溝の開口部内に侵入した際に前記傾斜した側面が前記振止用案内溝の内壁に当接して嵌合するように構成されていることを特徴とする戸当りを備えた上吊り式引戸装置。
【請求項１１】
前記戸当りにおける前記凸条部の突出先端が前記振止用案内溝の前記開口部の幅より小さい幅を有しており、該凸条部の前記当接面側の突出基部が該開口部の幅にほぼ等しい幅を有していることを特徴とする請求項１０に記載の上吊り式引戸装置。
【請求項１２】
前記戸当りにおける前記カバー部材が底面に開口した非貫通穴を有しており、前記ベース部材が該非貫通穴に嵌合して該カバー部材に固着されていることを特徴とする請求項１０又は１１に記載の上吊り式引戸装置。
【請求項１３】
前記戸当りにおける前記カバー部材の前記凸条部の頂端が前記当接面の頂端より下方に位置していることを特徴とする請求項１０から１２のいずれか１項に記載の上吊り式引戸装置。
【請求項１４】
前記戸当りにおける前記カバー部材の前記当接面と反対側の面が半楕円球形状を有していることを特徴とする請求項１０から１３のいずれか１項に記載の上吊り式引戸装置。
【請求項１５】
前記戸当りにおける前記カバー部材が衝撃吸収性材料で形成されていることを特徴とする請求項１０から１４のいずれか１項に記載の上吊り式引戸装置。
【請求項１６】
前記戸当りにおける前記カバー部材の前記凸条部の、前記頂部側の端部が面取りされていることを特徴とする請求項１０から１５のいずれか１項に記載の上吊り式引戸装置。
【発明の詳細な説明】
【技術分野】
【０００１】
本発明は、上吊り式引戸のための戸当り及びこの戸当りを備えた上吊り式引戸装置に関する。
【背景技術】
【０００２】
下部をレール等で案内しないタイプの上吊り式引戸においては、引戸の開閉方向と垂直方向である厚み方向への振れを防止するために種々の工夫がなされている。例えば、特許文献１には、引戸の下端面にその引戸の開閉方向に沿って案内溝を設けておき、この案内溝に、隣接する引戸の下部の側面にネジ止めされた案内片の先端部を挿入し、隣接する引戸同士を連結することによって、複数の上吊り式引戸の厚み方向への振れを防止する技術が開示されている。
【０００３】
また、特許文献２には、上吊り式引戸と枠体とに磁石と吸着板とをそれぞれ配置することにより、引戸を閉めた際のこの引戸の振れを防止する技術が開示されている。この開示技術では、上吊り式引戸が閉められてこの引戸が枠体に近づくと、磁石が吸着板に引き付けられて突出しその吸着力で引戸と枠体とが固定され、引戸の振れを防止している。
【先行技術文献】
【特許文献】
【０００４】
【特許文献１】特許第４１０５７１５号公報
【特許文献２】特開２００３−２７８４３８号公報
【発明の概要】
【発明が解決しようとする課題】
【０００５】
しかしながら、特許文献１に開示の技術では、隣接する複数の引戸同士が連結されるものの、これら連結された複数の引戸全体の振れについては防止不能である。また、特許文献１の開示技術は、構造が複雑であるため振れ止め機構としてのコストが高価となってしまうのみならず、単一の上吊り式引戸の振れ止めを行うことはできない。
【０００６】
特許文献２に開示の技術も、構造が複雑でありかつ部品点数も多くなるため、振れ止め機構としてのコストが高価となってしまうのみならず、引戸を閉めた際に、この引戸に隣接した位置に壁面や枠体が配置されていない場合は、適用不能であり、設置対象が限定される。即ち、引戸を閉めた際に、周囲に何も存在しない単一の上吊り式引戸の振れ止めを行うことはできない。また、特許文献２の開示技術によると、引戸を閉めて吸着板と磁石とが吸着する際に、大きな衝撃音が発生する可能性がある。
【０００７】
従って本発明の目的は、上吊り式引戸を、壁面のない箇所でもまた単一の引戸であっても、振れを防止しつつ開閉位置に固定することができる戸当り及び戸当りを備えた上吊り式引戸装置を提供することにある。
【課題を解決するための手段】
【０００８】
本発明によれば、振止用案内溝を下端に有しておりこの振止用案内溝の一端が木口面に開口している上吊り式引戸のための戸当りが提供される。この戸当りは、戸当りを床面に固着するためのベース部材と、このベース部材を覆うようにベース部材に嵌着されたカバー部材とを備えている。カバー部材が、上吊り式引戸の木口面が当接するための平面状の当接面と、この当接面から突出するようにカバー部材の底部から頂部方向に向かって一体的に形成された凸条部とを備えている。この凸条部は当接面から離れるにつれて狭幅となるように傾斜した側面を備えた台形断面形状を有しており、凸条部が上吊り式引戸の振止用案内溝の開口部内に侵入した際にその傾斜した側面が振止用案内溝の内壁に当接して嵌合するように構成されている。
【０００９】
上吊り式引戸を戸当りに固定する場合は、その木口面に開口している振止用案内溝内に戸当りのカバー部材の凸条部を係入させる。この凸条部は当接面から離れるにつれて狭幅となっているので、その突出先端は細幅となっており、引戸が振れて開口部の中心が凸条部の中心に対してある程度ずれていても嵌合が開始される。嵌合が開始されると、凸条部は、その傾斜した側面が振止用案内溝の内壁に当接しつつ振止用案内溝内に案内され、引戸の木口面が当接面に当接した時点で案内が止まる。その際、凸条部の突出基部が広幅となっているため、凸条部と引戸の開口部とがしっかりと嵌合し、引戸はその厚み方向に振れることなく開閉位置に確実に固定される。このような構成の戸当りを用いることにより、簡易構造であるにもかかわらず、上吊り式引戸を振れなしに開閉位置に確実に固定することができる。しかも、壁面のない箇所でもまた単一の引戸であっても使用可能である。
【００１０】
凸条部の突出先端が振止用案内溝の開口部の幅より小さい幅を有しており、凸条部の当接面側の突出基部が開口部の幅にほぼ等しい幅を有していることが好ましい。戸当りのカバー部材の凸条部がこのような幅の台形断面形状を有することにより、上吊り式引戸の振止用案内溝の開口部に戸当りの凸条部が侵入し易くなり、また、侵入した際に、この凸条部の突出基部が振止用案内溝の内壁に当接し、しっかりと嵌合するので、振れ止めが確実に行われる。しかも、引戸がこの戸当りに衝突するときに、開口部端縁が凸条部の傾斜した側面上を摺動するので、衝撃がその部分で吸収されて弱まる。
【００１１】
カバー部材が底面に開口した非貫通穴を有しており、ベース部材がこの非貫通穴に嵌合してカバー部材に固着されることも好ましい。これにより、嵌合するのみでカバー部材とベース部材とが固着されるので、戸当りの取付けが非常に容易となる。
【００１２】
カバー部材の凸条部の頂端が当接面の頂端より下方に位置していることも好ましい。これにより、上吊り式引戸の木口面が、当接面の凸条部の上側に位置する部分にも当接するので、戸当り面積が大きくなる。
【００１３】
カバー部材の当接面と反対側の面が半楕円球形状を有していることも好ましい。このように、カバー部材の反対側の面を滑らかな形状とすることにより、足等がぶつかった際の安全性が高まり、美観も向上する。
【００１４】
カバー部材が衝撃吸収性材料で形成されていることも好ましい。この場合、カバー部材の衝撃吸収性材料の硬度が１５〜９０であることがより好ましい。このような衝撃吸収性材料で構成することにより、引戸が戸当りに衝突した際の衝撃が緩和される。
【００１５】
当接面の幅に対する凸条部における当接面側の突出基部の幅の比が、１／６〜１の範囲にあることも好ましい。当接面の幅が大きいと引戸の木口面と戸当りとの衝撃が緩和され、凸条部の幅が大きいと振れ止めが効果的に行われる。
【００１６】
凸条部の、頂部側の端部が面取りされていることも好ましい。
【００１７】
本発明によれば、さらに、上吊り式引戸装置は、振止用案内溝を下端に有しており振止用案内溝の一端が木口面に開口している上吊り式引戸と、この上吊り式引戸用の戸当りとを備えている。この戸当りは、この戸当りを床面に固着するためのベース部材と、ベース部材を覆うようにベース部材に嵌着されたカバー部材とを備えている。カバー部材が、上吊り式引戸の木口面が当接するための平面状の当接面と、この当接面から突出するようにカバー部材の底部から頂部方向に向かって一体的に形成された凸条部とを備えている。この凸条部は当接面から離れるにつれて狭幅となるように傾斜した側面を備えた台形断面形状を有しており、凸条部が上吊り式引戸の振止用案内溝の開口部内に侵入した際に傾斜した側面が振止用案内溝の内壁に当接して嵌合するように構成されている。
【００１８】
上吊り式引戸を戸当りに固定する場合は、その木口面に開口している振止用案内溝内に戸当りのカバー部材の凸条部を係入させる。この凸条部は当接面から離れるにつれて狭幅となっているので、その突出先端は細幅となっており、引戸が振れて開口部の中心が凸条部の中心に対してある程度ずれていても嵌合が開始される。嵌合が開始されると、凸条部は、その傾斜した側面が振止用案内溝の内壁に当接しつつ振止用案内溝内に案内され、引戸の木口面が当接面に当接した時点で案内が止まる。その際、凸条部の突出基部が広幅となっているため、凸条部と引戸の開口部とがしっかりと嵌合し、引戸はその厚み方向に振れることなく開閉位置に確実に固定される。このような構成の上吊り式引戸装置によれば、簡易構造の戸当りであるにもかかわらず、上吊り式引戸を振れなしに開閉位置に確実に固定することができる。しかも、壁面のない箇所でもまた単一の引戸であっても使用可能である。
【００１９】
戸当りにおける凸条部の突出先端が振止用案内溝の開口部の幅より小さい幅を有しており、凸条部の当接面側の突出基部が開口部の幅にほぼ等しい幅を有していることが好ましい。戸当りのカバー部材の凸条部がこのような幅の台形断面形状を有することにより、上吊り式引戸の振止用案内溝の開口部に戸当りの凸条部が侵入し易くなり、また、侵入した際に、この凸条部の突出基部が振止用案内溝の内壁に当接し、しっかりと嵌合するので、振れ止めが確実に行われる。しかも、引戸がこの戸当りに衝突するときに、開口部端縁が凸条部の傾斜した側面上を摺動するので、衝撃がその部分で吸収されて弱まる。
【００２０】
戸当りにおけるカバー部材が底面に開口した非貫通穴を有しており、ベース部材がこの非貫通穴に嵌合してカバー部材に固着されていることも好ましい。これにより、嵌合するのみでカバー部材とベース部材とが固着されるので、戸当りの取付けが非常に容易となる。
【００２１】
戸当りにおけるカバー部材の凸条部の頂端が当接面の頂端より下方に位置していることも好ましい。これにより、上吊り式引戸の木口面が、当接面の凸条部の上側に位置する部分にも当接するので、戸当り面積が大きくなる。
【００２２】
戸当りにおけるカバー部材の当接面と反対側の面が半楕円球形状を有していることも好ましい。このように、カバー部材の反対側の面を滑らかな形状とすることにより、足等がぶつかった際の安全性が高まり、美観も向上する。
【００２３】
戸当りにおける前記カバー部材が衝撃吸収性材料で形成されていることも好ましい。このような衝撃吸収性材料で構成することにより、引戸が戸当りに衝突した際の衝撃が緩和される。
【００２４】
戸当りにおけるカバー部材の凸条部の、頂部側の端部が面取りされていることも好ましい。
【発明の効果】
【００２５】
本発明によれば、簡易構造の戸当りであるにもかかわらず、上吊り式引戸を振れなしに開閉位置に確実に固定することができる。しかも、壁面のない箇所でもまた単一の引戸であっても使用可能である。
【図面の簡単な説明】
【００２６】
【図１】本発明の一実施形態として上吊り式引戸装置の全体の構成を概略的に示す斜視図である。
【図２】図１の実施形態における戸当りの構造を詳細に示す分解斜視図である。
【図３】図２に示した戸当りを反転して示す底面図である。
【図４】図２の戸当りのＩ−Ｉ線断面図である。
【図５】図１の実施形態における戸当りと引戸との関係を拡大して示す斜視図である。
【図６】図５の戸当りを引戸に接近させた状態を説明する平面図である。
【図７】引戸が振れた場合の戸当りとの関係を示す側面図である。
【図８】図５の戸当りを引戸の振止用案内溝に嵌合させた状態を説明する平面図である。
【図９】図８のＩＩ−ＩＩ線断面図である。
【図１０】本発明の他の実施形態における戸当りの構造を詳細に示す斜視図である。
【図１１】引戸が振れた場合の図１０の戸当りと引戸との関係を示す側面図である。
【発明を実施するための形態】
【００２７】
図１は本発明の一実施形態として上吊り式引戸装置の全体の構成を概略的に示す斜視図であり、図２は本実施形態における戸当りの構造を詳細に示す分解斜視図であり、図３は図２に示した戸当りを反転して示す底面図であり、図４は図２の戸当りのＩ−Ｉ線断面図であり、図５は本実施形態における戸当りと引戸との関係を拡大して示す斜視図であり、図６は図５の戸当りを引戸に接近させた状態を説明する平面図であり、図７は引戸が振れた場合の戸当りとの関係を示す側面図であり、図８は図５の戸当りを引戸の振止用案内溝に嵌合させた状態を説明する平面図であり、図９は図８のＩＩ−ＩＩ線断面図である。
【００２８】
以下、これらの図を参照して図１の実施形態について詳細に説明する。
【００２９】
本実施形態における上吊り式引戸装置は、複数の上吊り式引戸１０と少なくとも１つの戸当り１１とを基本的に備えている。各上吊り式引戸１０は図示しないランナーを介して上部レール１２に吊り下げられ、この上部レール１２に沿って走行するように構成されている。引戸１０の下端は、床面１３に固定されておらず、自由端となっている。
【００３０】
一方、戸当り１１はその底部が床面１３に固定されており、引戸１０が閉じられた際に、その引戸１０の下端に設けられた振止用案内溝１０ａの木口面１０ｂ側の開口部１０ｃに嵌合できるように構成されている。
【００３１】
戸当り１１は、図２から分かるように、衝撃吸収性の材料で一体形成されたカバー部材１４と、この戸当り１１を床面１３に固着するためのベース部材１５とを備えている。
【００３２】
カバー部材１４は、衝撃吸収性材料で一体的に成型して構成されている。衝撃吸収性材料としては、弾性及び柔軟性を有し、印加された力を吸収する性質のある材料であればよく、例えば、軟質プラスチックやゴムなどが用いられる。その硬度としては、１５〜９０程度であることが望ましい。本実施形態では、カバー部材１４として、硬度４０の合成ゴムを用いている。カバー部材１４をこのような衝撃吸収性材料で構成することにより、引戸１０が戸当り１１に衝突した際の衝撃が緩和される。
【００３３】
カバー部材１４は、引戸１０が閉じられた際に、その引戸１０の木口面１０ｂの下部が当接するための平面状の当接面１４ａと、この当接面１４ａの左右方向（図２のｙ軸方向、引戸１０の厚み方向）の中央部から突出する凸条部１４ｂとを備えている。カバー部材１４の当接面１４ａと反対側の面１４ｃは半楕円球形状となっている。このように、カバー部材１４の反対側の面１４ｃを滑らかな形状とすることにより、足等がぶつかった際の安全性が高まり、美観も向上する。
【００３４】
凸条部１４ｂは、引戸１０が閉じられた際に、その引戸１０の下端に設けられた振止用案内溝１０ａの木口面１０ｂ側の開口部１０ｃに嵌合する部分であり、このカバー部材１４の底部から頂部方向（図２のｚ軸方向、引戸１０の高さ方向）に向かって伸長している。ただし、この凸条部１４ｂの頂端１４ｂ１は当接面１４ａの頂端１４ａ１より下方に位置している。これにより、引戸１０の木口面１０ｂが当たる当接面１４ａの面積が増大し、引戸１０が衝突した際の衝撃吸収性をより向上できる。
【００３５】
凸条部１４ｂは台形断面形状を有しており、当接面１４ａから離れるにつれて狭幅となるようにテーパ状に傾斜した側面１４ｂ２をその両側に備えている。従って、図２に示すように、凸条部１４ｂの突出先端１４ｂ３の幅ＷＴ（図２のｙ軸方向の長さ）は、その当接面１４ａ側の突出基部１４ｂ４の幅ＷＢ（図２のｙ軸方向の長さ）より狭くなっている。本実施形態では、両者の幅の比ＷＴ／ＷＢが、ほぼＷＴ／ＷＢ＝１／２となっている。しかしながら、ＷＴ／ＷＢが１／３〜２／３であっても良い。
【００３６】
ここで、凸条部１４ｂの突出先端１４ｂ３の幅ＷＴが、引戸１０の振止用案内溝１０ａの開口部１０ｃの幅より小さい幅を有しており、凸条部１４ｂの当接面１４ａ側の突出基部１４ｂ４の幅ＷＢが開口部１０ｃの幅にほぼ等しい幅を有していることが望ましい。カバー部材１４の凸条部１４ｂがこのような幅の台形断面形状を有することにより、引戸１０の振止用案内溝１０ａの開口部１０ｃ内に凸条部１４ｂが侵入し易くなり、また、侵入した際に、この凸条部１４ｂの突出基部１４ｂ４が振止用案内溝１０ａの内壁に当接し、しっかりと嵌合するので、振れ止めが確実に行われる。しかも、引戸１０が衝突するときに、開口部１０ｃの端縁が凸条部１４ｂの傾斜した側面１４ｂ２上を摺動するので、衝撃がその部分で吸収されて弱まる。
【００３７】
また、この凸条部１４ｂの突出基部１４ｂ４の幅ＷＢは、当接面１４ａの幅ＷＳ（図２のｙ軸方向の長さ）以下に設定される。例えば、ＷＢ／ＷＳが１／６〜１であることが望ましく、１／３〜１／２がより望ましい。本実施形態では、ＷＢ／ＷＳ＝１／２．４となっている。当接面１４ａの幅ＷＳが大きいと引戸１０と戸当り１１との衝撃がより効果的に吸収される。凸条部１４ｂの突出基部１４ｂ４の幅ＷＢが大きいと、嵌合時に傾いていても矯正できる傾斜角度が大きくなり、振れ止めが効果的に行われるが、大き過ぎると嵌合自体が難しくなり、当接面１４ａの面積が小さくなるので、木口面１０ｂと戸当り１１との衝突時の衝撃が吸収され難くなる。
【００３８】
一方、戸当り１１のベース部材１５は、充分な取付け強度を得るために、鋼等の硬い金属材料で形成されている。本実施形態では、ベース部材１５は鋼板をプレス成型して形成されている。図２に示すように、このベース部材１５は、底板部１５ａと、この底板部１５ａから垂直に折曲げられた立板部１５ｂと、立板部１５ｂの側端からそれぞれ垂直に折曲げられた側板部１５ｃ及び１５ｄとを備えており、立板部１５ｂには木ネジ１６用の３つのネジ止め孔１５ｂ１が穿設されている。ベース部材１５を床面１３に固定するには、これらネジ止め孔１５ｂ１を通して木ネジ１６を床面１３にネジ止めすればよい。
【００３９】
図３に示すように、カバー部材１４の底面１４ｄには非貫通穴１４ｅが開口しており、ベース部材１５がこの非貫通穴１４ｅに嵌合することによって、カバー部材１４がベース部材１５に固着するように構成されている。このように、嵌合するのみでカバー部材１４とベース部材１５とが固着されるので、戸当り１１の床面への取付けが非常に容易となる。
【００４０】
より詳細に説明すると、カバー部材１４の非貫通穴１４ｅ内には、ベース部材１５を嵌合した際にその底板部１５ａを受容する浅い凹部１４ｆと、立板部１５ｂを緊密に受容する立板溝部１４ｇと、側板部１５ｃ及び１５ｄをそれぞれ受容する側板溝部１４ｈ及び１４ｉとが形成されている。立板溝部１４ｇ並びに側板溝部１４ｈ及び１４ｉは、カバー部材１４を底面側から見た際に略コ字状となる受け溝を構成している。立板溝部１４ｇは、当接面１４ａと平行に形成されており、ベース部材１５の立板部１５ｂの高さ（ｚ軸方向の長さ）と略同じ深さとなっている。この立板溝部１４ｇの最深部１４ｇ１の幅、即ち間隙（ｘ軸方向の長さ）は、立板部１５ｂが押し込まれた際にその先端部を把持して固定できる程度に、立板溝部１４ｇの他の部分より若干短くなっている。側板溝部１４ｈ及び１４ｉの深さ（ｚ軸方向の長さ）は、立板溝部１４ｇの深さ（ｚ軸方向の長さ）より浅くなっている。また、これら側板溝部１４ｈ及び１４ｉの長さ（ｘ軸方向の長さ）は側板部１５ｃ及び１５ｄの幅（ｘ軸方向の長さ）にほぼ等しくなっている。浅い凹部１４ｆはベース部材１５を嵌合した際にその底板部１５ａ及び木ネジ１６を収容する空間を有している。
【００４１】
ベース部材１５にカバー部材１４を固着するには、立板溝部１４ｇにベース部材１５の立板部１５ｂを、側板溝部１４ｈ及び１４ｉにベース部材１５の側板部１５ｃ及び１５ｄをそれぞれ差込んで押し込むことにより、最終的に嵌合が行われる。図４に示すように、立板溝部１４ｇの最深部１５ｇ１の間隙が立板部１５ｂの厚みより短いため、立板部１５ｂの上部がカバー部材１４の構成材料である合成ゴムの有する弾性によって挟み込まれて把持固定される。また、側板溝部１４ｈ及び１４ｉの長さ（ｘ軸方向の長さ）は側板部１５ｃ及び１５ｄの幅（ｘ軸方向の長さ）にほぼ等しいため、側板部１５ｃ及び１５ｄがカバー部材１４の構成材料である合成ゴムの有する弾性によって把持固定される。
【００４２】
本実施形態の戸当り１１を床面１３に取付けるには、まず、ベース部材１５を木ネジ１６によって床面１３にネジ止めし、そのベース部材１５の上からカバー部材１４の非貫通穴１４ｅを差込んで押し込むことによって、図４に示すように嵌合させ固着する。
【００４３】
図５に示すように、上吊り式引戸１０の下端には、振止用案内溝１０ａがこの引戸１０の開閉方向（図５のｘ軸方向）に沿った全長に渡って形成されている。この振止用案内溝１０ａの一端は、引戸１０の木口面１０ｂに開口して、開口部１０ｃを構成している。戸当り１１のカバー部材１４における凸条部１４ｂの高さ（ｚ軸方向の長さ）は、この振止用案内溝１０ａの深さにほぼ等しくなるように設定されている。なお、図示されていないが、引戸１０の厚み方向（ｙ軸方向）の振れを抑止するための振止機構を、隣接する引戸１０の振止用案内溝１０ａ間に設けておくことが望ましい。
【００４４】
次に、本実施形態の上吊り式引戸１０が戸当り１１に固定される動作について説明する。
【００４５】
引戸１０を閉じる時、引戸１０の木口面１０ｂに開口している振止用案内溝１０ａ内に、床面に固定されている戸当り１１のカバー部材１４の凸条部１４ｂを係入させる。この凸条部１４ｂは当接面１４ａから離れるにつれて幅が狭くなるように構成されているので、その突出先端１４ｂ３は細い幅となっており、従って、図６の実線で示すように、引戸１０がその厚み方向（図５のｙ軸方向）に振れてその開口部１０ｃの中心１０ｃ１が戸当り１１の凸条部１４ｂの中心１４ｂ５とある程度ずれている場合にも、嵌合が開始される。嵌合が開始されると、凸条部１４ｂは、その傾斜した側面１４ｂ２が開口部１０ｃの縁端に当接しつつ振止用案内溝１０ａ内に案内され、振れによる変位が修正されつつ、引戸１０の木口面１０ｂが戸当り１１の当接面１４ａに当接した時点で案内が止まる。この時点においては、戸当り１１の引戸１０との相対位置が、図６の２点鎖線で示す位置となる。なお、引戸１０が振れた場合、実際には、図７に示すように、引戸１０は床面と垂直な軸（図５のｚ軸）に対して、角度α１だけ傾斜することとなる。この場合も、凸条部１４ｂの傾斜した側面１４ｂ２と突出先端１４ｂ３と頂端１４ａ１との角部が開口部１０ｃの縁端に当接しつつ振止用案内溝１０ａ内に案内される。
【００４６】
戸当り１１における凸条部１４ｂの突出基部１４ｂ３が広い幅となっているため、この凸条部１４ｂと引戸１０の開口部１０ｃとがしっかりと嵌合し、引戸１０はその厚み方向に振れることなく開閉位置に確実に固定される。即ち、引戸１０の開口部１０ｃの中心１０ｃ１と戸当り１１の凸条部１４ｂの中心１４ｂ５とが一致して嵌合された状態となる。この状態が図８及び図９に示されている。
【００４７】
図９に示すように、引戸１０の振止用案内溝１０ａの上下方向の深さは戸当り１１の凸条部１４ｂの高さにほぼ等しいが、引戸１０と床面１３との間には隙間ｄが存在するため、凸条部１４ｂは上下方向に隙間ｄの余裕をもって振止用案内溝１０ａと嵌合することとなる。
【００４８】
引戸１０を閉める際、多くの場合、引戸１０の木口面１０ｂが戸当り１１におけるカバー部材１４の当接面１４ａに衝突する。この衝突の際、引戸１０の木口面１０ｂと戸当り１１の当接面１４ａとが面同士で当接するため、引戸１０の振止用案内溝１０ａや戸当り１１の凸条部１４ｂに無理な力がかかって破損することがなく、当接面１４ａの広い面積によって力が分散されて緩和される。また、カバー部材１４全体が衝撃吸収性の材料で形成されているため、衝突の衝撃を吸収でき衝突音も小さいのみならず、引戸１０及び戸当り１１双方の破損を防ぐことができる。
【００４９】
さらに、ベース部材１５の立板部１５ｂがカバー部材１４の当接面１４ａの背後でこの当接面１４ａと平行に配置されているため、衝撃が立板部１５ｂの全面に均等に伝わり、ベース部材１５の一部に偏って印加されないので、ベース部材１５の床面への固着部に損傷が生じることはほとんどない。
【００５０】
また、カバー部材１４は、その当接面１４ａと反対側の背面１４ｃが半楕円球形状を有しているため、当接面１４ａへの衝撃が曲面状に伝わり均等に逃がされることで衝撃吸収効果がより高まる。さらにまた、カバー部材１４が衝撃吸収性材料で形成されていること、及び背面１４ｃが滑らかな形状となっていることにより、引戸以外の物や人との衝突があった際の安全性が高まり、美観も向上する。
【００５１】
以上説明したように、本実施形態によれば、上吊り式引戸１０を戸当り１１に固定する場合、木口面１０ｂに開口している振止用案内溝１０ａ内に戸当り１１のカバー部材１４の凸条部１４ｂを係入させるが、この凸条部１４ｂが当接面１４ａから離れるにつれて狭幅となっているので、その突出先端１４ｂ３は細幅となっており、引戸１０が振れて開口部１０ｃの中心が凸条部１４ｂの中心とある程度ずれていても嵌合が開始される。嵌合が開始されると、凸条部１４ｂは、その傾斜した側面１４ｂ２が振止用案内溝１０ａの内壁に当接しつつ振止用案内溝１０ａ内に案内され、引戸１０の木口面１０ｂが当接面１４ａに当接した時点で案内が止まる。凸条部１４ｂの突出基部１４ｂ４が広幅となっているため、凸条部１４ｂと引戸１０の開口部１０ｃとがしっかりと嵌合し、引戸１０はその厚み方向に振れることなく開閉位置に確実に固定される。このような構成の戸当り１１を用いることにより、簡易構造であるにもかかわらず、上吊り式引戸１０を振れなしに開閉位置に確実に固定することができる。しかも、壁面のない箇所でもまた単一の引戸であっても使用可能である。
【００５２】
図１０は本発明の他の実施形態における戸当りの構造を詳細に示す斜視図であり、図１１は引戸が振れた場合の本実施形態の戸当りと引戸との関係を示す側面図である。本実施形態では、戸当り１１１のカバー部材１１４の形状が図１の実施形態の場合と異なっているが、その他の構成は図１の実施形態の場合と同様である。従って、本実施形態において、図１の実施形態の構成要素と同様の構成要素については同一の参照符号を用いて説明を行う。
【００５３】
本実施形態において、戸当り１１１は、衝撃吸収性の材料で一体形成されたカバー部材１１４と、この戸当り１１１を床面に固着するための図示されていないベース部材とを備えている。このベース部材の構造は、図１の実施形態の場合と同様である。
【００５４】
カバー部材１１４は、衝撃吸収性材料で一体的に成型されている。衝撃吸収性材料としては、弾性及び柔軟性を有し、印加された力を吸収する性質のある材料であればよく、例えば、軟質プラスチックやゴムなどが用いられる。その硬度としては、１５〜９０程度であることが望ましい。本実施形態では、硬度４０の合成ゴムを用いている。カバー部材１１４をこのような衝撃吸収性材料で構成することにより、引戸１０が戸当り１１１に衝突した際の衝撃が緩和される。
【００５５】
カバー部材１１４は、引戸１０が閉じられた際に、その引戸１０の木口面１０ｂの下部が当接するための平面状の当接面１１４ａと、この当接面１１４ａの左右方向（図１０のｙ軸方向、引戸１０の厚み方向）の中央部から突出する凸条部１１４ｂとを備えている。カバー部材１１４の当接面１１４ａと反対側の面１１４ｃは半楕円球形状となっている。このように、カバー部材１１４の反対側の面１１４ｃを滑らかな形状とすることにより、足等がぶつかった際の安全性が高まり、美観も向上する。
【００５６】
凸条部１１４ｂは、引戸１０が閉じられた際に、その引戸１０の下端に設けられた振止用案内溝１０ａの木口面１０ｂ側の開口部１０ｃに嵌合する部分であり、このカバー部材１１４の底部から頂部方向（図１０のｚ軸方向、引戸１０の高さ方向）に向かって伸長している。ただし、この凸条部１１４ｂの頂端１１４ｂ１は当接面１１４ａの頂端１１４ａ１より下方に位置している。これにより、引戸１０の木口面１０ｂが当たる当接面１１４ａの面積が増大し、引戸１０が衝突した際の衝撃性をより向上できる。
【００５７】
凸条部１１４ｂは台形断面形状を有しており、当接面１１４ａから離れるにつれて狭幅となるようにテーパ状に傾斜した側面１１４ｂ２をその両側に備えている。従って、図１０に示すように、凸条部１１４ｂの突出先端１１４ｂ３の幅ＷＴ′（図１０のｙ軸方向の長さ）は、その当接面１１４ａ側の突出基部１１４ｂ４の幅ＷＢ′（図１０のｙ軸方向の長さ）より狭くなっている。本実施形態では、両者の幅の比ＷＴ′／ＷＢ′がＷＴ′／ＷＢ′＝１／２となっている。しかしながら、ＷＴ′／ＷＢ′が１／３〜２／３であっても良い。
【００５８】
ここで、凸条部１１４ｂの下部（図１０のｚ軸負方向）における突出先端１１４ｂ３の幅ＷＴ′が引戸１０の振止用案内溝１０ａの開口部１０ｃの幅より小さい幅を有しており、凸条部１１４ｂの当接面１１４ａ側の突出基部１１４ｂ４の幅ＷＢ′が開口部１０ｃの幅にほぼ等しい幅を有していることが望ましい。カバー部材１１４の凸条部１１４ｂがこのような幅の台形断面形状を有することにより、引戸１０の振止用案内溝１０ａの開口部１０ｃ内に凸条部１１４ｂが侵入し易くなり、また、侵入した際に、この凸条部１１４ｂの突出基部１１４ｂ４が振止用案内溝１０ａの内壁に当接し、しっかりと嵌合するので、振れ止めが確実に行われる。しかも、引戸１０が衝突するときに、開口部１０ｃの端縁が凸条部１１４ｂの傾斜した側面１１４ｂ２上を摺動するので、衝撃がその部分で吸収されて弱まる。
【００５９】
また、この凸条部１１４ｂの突出基部１１４ｂ４の幅ＷＢ′は、当接面１１４ａの幅ＷＳ′（図１０のｙ軸方向の長さ）以下に設定される。例えば、ＷＢ′／ＷＳ′が１／６〜１であることが望ましく、１／３〜１／２がより望ましい。本実施形態では、ＷＢ′／ＷＳ′＝１／２．４となっている。当接面１１４ａの幅ＷＳ′が大きいと引戸１０と戸当り１１１との衝撃がより効果的に吸収される。凸条部１１４ｂの突出基部１１４ｂ４の幅ＷＢ′が大きいと、嵌合時に傾いていても矯正できる傾斜角度が大きくなり、振れ止めが効果的に行われるが、大き過ぎると嵌合自体が難しくなり、当接面１１４ａの面積が小さくなるので、木口面１０ｂと戸当り１１１との衝突時の衝撃が吸収され難くなる。
【００６０】
本実施形態においては、特に、カバー部材１１４の凸条部１１４ｂの上部（図１０のｚ軸正方向）における側面１１４ｂ２、突出先端１１４ｂ３及び頂端１１４ｂ１の角部が面取りされて面取り傾斜部１１４ｂ５が形成されている。このため、凸条部１１４ｂの下部（図１０のｚ軸負方向）における突出先端１１４ｂ３の幅ＷＴ′に対して、凸条部１１４ｂの上部（図１０のｚ軸正方向）における突出先端１１４ｂ３の幅ＷＴＳ′が狭くなっている。例えば、本実施形態では、ＷＴＳ′／ＷＴ′＝１／２となっている。
【００６１】
このように、戸当り１１１の凸条部１１４ｂの上部に面取り傾斜部１１４ｂ５が設けられ、その幅が狭くなっているため、引戸１０が床面１３と垂直な軸（図１０のｚ軸）に対して、角度α２と大きく傾斜した場合にも、凸条部１１４ｂの面取り傾斜部１１４ｂ５が開口部１０ｃの縁端に当接しつつ振止用案内溝１０ａ内に案内され、嵌合を開始できる。また、引戸１０の振れがより小さいときでも、凸条部１１４ｂの上部が木口面１０ｂにぶつかることがないので、凸条部１１４ｂは振止用案内溝１０ａ内にスムーズに侵入し易い。もちろん、面取り傾斜部１１４ｂ５の面積を大きくし、凸条部１１４ｂの上部をより細くすれば、この凸条部１１４ｂが振止用案内溝１０ａ内により侵入し易くなる。凸条部１１４ｂの上部の幅ＷＴＳ′が極端に狭くなると、凸条部１１４ｂが木口面１０ｂに食込んだり、この部分が引戸以外の人や物に衝突したときも危険のないように、この上部の幅ＷＴＳ′は、下部の幅ＷＴ′に対して、１／２≦ＷＴＳ′／ＷＴ′＜１であることが望ましい。また、面取り傾斜部１１４ｂ５の面積が大き過ぎると、凸条部１１４ｂが振止用案内溝１０ａと嵌合して振り止め作用が弱まるため、面取り傾斜部１１４ｂ５の上下方向（図１０のｚ軸方向）の長さは凸条部１１４ｂ全体の長さの１／３未満であることが望ましい。面取り傾斜部１１４ｂ５の面積が小さくても、傾斜部が平面でなくとも上述した効果は得られ、丸く面取りして形成されていてもよい。
【００６２】
以上説明したように、本実施形態によれば、上吊り式引戸１０を戸当り１１１に固定する場合、木口面１０ｂに開口している振止用案内溝１０ａ内に戸当り１１１のカバー部材１１４の凸条部１１４ｂを係入させるが、この凸条部１１４ｂが当接面１１４ａから離れるにつれて狭幅となっているので、その突出先端１１４ｂ３は細幅となっており、引戸１０が振れて開口部１０ｃの中心が凸条部１１４ｂの中心とある程度ずれていても嵌合が開始される。特に、本実施形態では、凸条部１１４ｂの上部に面取り傾斜部１１４ｂ５が設けられ、その部分の幅がより狭くなっているため、引戸１０が大きく傾斜した場合にも、凸条部１１４ｂの面取り傾斜部１１４ｂ５が開口部１０ｃの縁端に当接しつつ振止用案内溝１０ａ内に案内され、嵌合を開始できる。嵌合が開始されると、凸条部１１４ｂは、その傾斜した側面１１４ｂ２が振止用案内溝１０ａの内壁に当接しつつ振止用案内溝１０ａ内に案内され、引戸１０の木口面１０ｂが当接面１１４ａに当接した時点で案内が止まる。凸条部１１４ｂの突出基部１１４ｂ４が広幅となっているため、凸条部１１４ｂと引戸１０の開口部１０ｃとがしっかりと嵌合し、引戸１０はその厚み方向に振れることなく開閉位置に確実に固定される。このような構成の戸当り１１１を用いることにより、簡易構造であるにもかかわらず、上吊り式引戸１０を振れなしに開閉位置に確実に固定することができる。しかも、壁面のない箇所でもまた単一の引戸であっても使用可能である。
【００６３】
前述した実施形態において、振止用案内溝１０ａの内壁上に衝撃吸収性材料が被着されていてもよい。これにより、引戸１０と戸当り１１１との嵌合の際の衝撃が吸収される。振止用案内溝１０ａの内壁に被着した衝撃吸収性材料と戸当り１１１のカバー部材１１４の衝撃吸収性材料とを、摩擦率の高い衝撃吸収性材料、例えばゴムで構成した場合、当接したカバー部材１１４及び振止用案内溝１０ａ相互の表面の摩擦力が高まり衝撃吸収効果及び振止め効果をより向上させることができる。
【００６４】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００６５】
１０  上吊り式引戸
１０ａ  振止用案内溝
１０ｂ  木口面
１０ｃ  開口部
１０ｃ１、１４ｂ５  中心
１１、１１１  戸当り
１２  上部レール
１３  床面
１４、１１４  カバー部材
１４ａ、１１４ａ  当接面
１４ａ１、１４ｂ１、１１４ｂ１  頂端
１４ｂ、１１４ｂ  凸条部
１４ｂ２、１１４ｂ２  傾斜した側面
１４ｂ３、１１４ｂ３  突出先端
１４ｂ４、１１４ｂ４  突出基部
１４ｃ、１１４ｃ  反対側の面
１４ｄ  底面
１４ｅ  非貫通穴
１４ｆ  凹部
１４ｇ  立板溝部
１４ｇ１  最深部
１４ｈ、１４ｉ  側板溝部
１５  ベース部材
１５ａ  底板部
１５ｂ  立板部
１５ｂ１  ネジ止め孔
１５ｃ、１５ｄ  側板部
１６  木ネジ
【図１】
2011099308.tif 000003
【図２】
2011099308.tif 000004
【図３】
2011099308.tif 000005
【図４】
2011099308.tif 000006
【図５】
2011099308.tif 000007
【図６】
2011099308.tif 000008
【図７】
2011099308.tif 000009
【図８】
2011099308.tif 000010
【図９】
2011099308.tif 000011
【図１０】
2011099308.tif 000012
【図１１】
2011099308.tif 000013